(57)【要約】  【課題】  生ごみを粉砕した後、さらに擂り潰して微細化することにより、目詰まりが発生しにくく、保守作業を低減した生ごみ処理器を提供すること。  【解決手段】  蓋２４を開けて生ごみ処理器本体１に生ごみを投入し、投入量によって予め規定してある処理時間をタイマー２２にて設定し、蓋２４を閉止した後、オンスイッチ２１Ａを押圧すると、生ごみ処理が開始される。即ち、駆動モーター１２が運転されると同時に水道水供給電磁弁２０が開き、水道水が生ごみ処理器本体１内に供給され、生ごみは上攪拌刃１６により裁断され微細な粉砕物に加工され、更に下攪拌刃１７にて粉砕された後、開口４を介して上臼５と下臼１５との間に導かれ、下臼１５が駆動モーター１２により回転されて、擂り潰されることとなる。この両臼間で擂り潰されて更に微細化される。  【選択図】  図２
2005177659.tif 000002
【特許請求の範囲】
【請求項１】
本体内に野菜などの生ごみを投入、水を加えながら攪拌、粉砕して本体外へ排出する生ごみ処理器において、駆動源により回転される攪拌刃と、本体内部に設けられる上臼と駆動源により回転する下臼と構成される臼体とを備え、前記駆動源によって回転する攪拌刃によって水を加えながら生ごみを攪拌、粉砕した後、前記臼体の駆動源によって下臼を回転させて上臼とで攪拌、粉砕された生ごみを更に擂り潰すことを特徴とする生ごみ処理器。
【請求項２】
本体内に野菜などの生ごみを投入、水を加えながら攪拌、粉砕して本体外へ排出する生ごみ処理器において、運転を開始するための運転スイッチと、水道水を前記本体内に供給するための給水弁と、駆動源により回転される攪拌刃と、本体内部に設けられる上臼と駆動源により回転する下臼と構成される臼体とを備え、前記運転スイッチの操作に基づいて前記両駆動源を駆動させると共に給水弁を開いて、水を加えながら前記駆動源によって回転する攪拌刃によって生ごみを攪拌、粉砕した後、前記臼体の駆動源によって下臼を回転させて上臼とで攪拌、粉砕された生ごみを更に擂り潰すことを特徴とする生ごみ処理器。
【請求項３】
前記攪拌刃を駆動させる駆動源と前記下臼を回転させる駆動源とを同一の駆動源としたことを特徴とする請求項１又は請求項２に記載の生ごみ処理器。
【請求項４】
前記臼体を構成する下臼の表面の擂り潰し面が中心から外方へ向けて低くなるように構成すると共に前記上臼と下臼との間隔を外方に行くに従って狭くしたことを特徴とする請求項１又は請求項２に記載の生ごみ処理器。
【発明の詳細な説明】
【技術分野】
【０００１】
本発明は、家庭などにて廃棄する生ごみを回収することなく下水等に廃棄する生ごみ処理器に関する。
【背景技術】
【０００２】
この種の生ごみ処理器は、登録実用新案公報３０２５８１６号等に開示されているが、この生ごみ処理器は生ごみを攪拌刃により攪拌粉砕して微細化し、本体容器内に設けた穴や網目等から通過した粉砕物を水と一緒に下水等に廃棄可能としたものである。
【特許文献１】登録実用新案公報３０２５８１６号
【発明の開示】
【発明が解決しようとする課題】
【０００３】
しかし、生ごみを攪拌刃により攪拌粉砕しただけであると、生ごみの全てが微細化しにくく、より細かくして廃棄しようとして、本体容器内に設けた穴や網目等を設けると、粉砕物がこの穴や網目等に捕捉されて目詰まりが発生しやすい。そのため、目詰まりを除去すべく保守作業を頻繁に実施する必要がある。
【０００４】
そこで本発明は、投入した生ごみを粉砕した後、さらに擂り潰して微細化することにより、目詰まりが発生しにくく、目詰まり除去などの保守作業を低減した生ごみ処理器を提供することを目的とする。
【課題を解決するための手段】
【０００５】
このため第１の発明は、本体内に野菜などの生ごみを投入、水を加えながら攪拌、粉砕して本体外へ排出する生ごみ処理器において、駆動源により回転される攪拌刃と、本体内部に設けられる上臼と駆動源により回転する下臼と構成される臼体とを備え、前記駆動源によって回転する攪拌刃によって水を加えながら生ごみを攪拌、粉砕した後、前記臼体の駆動源によって下臼を回転させて上臼とで攪拌、粉砕された生ごみを更に擂り潰すことを特徴とする。
【０００６】
また第２の発明は、本体内に野菜などの生ごみを投入、水を加えながら攪拌、粉砕して本体外へ排出する生ごみ処理器において、運転を開始するための運転スイッチと、水道水を前記本体内に供給するための給水弁と、駆動源により回転される攪拌刃と、本体内部に設けられる上臼と駆動源により回転する下臼と構成される臼体とを備え、前記運転スイッチの操作に基づいて前記両駆動源を駆動させると共に給水弁を開いて、水を加えながら前記駆動源によって回転する攪拌刃によって生ごみを攪拌、粉砕した後、前記臼体の駆動源によって下臼を回転させて上臼とで攪拌、粉砕された生ごみを更に擂り潰すことを特徴とする。
【０００７】
第３の発明は、第１又は第２の発明において、前記攪拌刃を駆動させる駆動源と前記下臼を回転させる駆動源とを同一の駆動源としたことを特徴とする。
【０００８】
第４の発明は、第１又は第２の発明において、前前記臼体を構成する下臼の表面の擂り潰し面が中心から外方へ向けて低くなるように構成すると共に前記上臼と下臼との間隔を外方に行くに従って狭くしたことを特徴とする。
【発明の効果】
【０００９】
本発明によれば、投入した生ごみを粉砕した後、さらに擂り潰して微細化することにより、目詰まりが発生しにくく、目詰まり除去などの保守作業を低減した生ごみ処理器を提供することができる。
【００１０】
また、第３の発明によれば、前記攪拌刃を駆動させる駆動源と前記下臼を回転させる駆動源とを同一の駆動源としたので、構造が簡単となると共に製造コストの低減を図ることができる。
【００１１】
更に、第４の発明によれば、前記臼体を構成する下臼の表面の擂り潰し面が中心から外方へ向けて低くなるように構成すると共に前記上臼と下臼との間隔を外方に行くに従って狭くしたので、確実に上臼と下臼との間に生ごみを導くことができると共に外方に行くに従って徐々に微細化することができる。
【発明を実施するための最良の形態】
【００１２】
以下本発明の実施形態について、図面に基づき説明する。１は生ごみ処理器本体で、この生ごみ処理器本体１の内部側壁は円筒形状であり、下方に向かって中間部に漏斗状隔壁２が取り付けてある。この漏斗状隔壁２は下方に向かって絞られた円筒形状を呈して、底面３の中央部には開口４が開設されている。この底面３の下面には上臼５が形成されており、この上臼５の外端部が前記生ごみ処理器本体１の内部側壁に固定される。
【００１３】
即ち、上臼５は中央部に開口４が開設された円盤状で、この上臼５の擂り潰し面が中心から外方へ向けて低くなるように構成され、その材質は例えばステンレス製でその下面は擂り潰し面となるように刻み目が加工されている。この刻み目のパターンは主溝と副溝で構成され、例えば中心から円周上放射方向に例えば６本の主溝が形成されて６分割され、この各分割された領域には種々の異なる方向に多数本の副溝が放電加工されている。
【００１４】
また、前記生ごみ処理器本体１の上部には水道水を供給する供給口６が、また下部には排水口７を備えている。そして、前記供給口６の入り口側には水道水供給電磁弁８が接続されている。
【００１５】
そして、前記生ごみ処理器本体１の下端部には受け皿１０が設けられ、この受け皿１０を介して生ごみ処理器本体１がベース１１に固定されている。このベース６内には駆動モーター１２が設置してあり、この駆動モーター１２の出力軸１３が前記受け皿１０に開設された孔を介して回動可能に支持されている。更に、前記出力軸１３は受け皿５を貫通し、その上部には前記上臼５と対となる下臼１５が取り付けてあり、更にその上の上端部には所定間隔を存して配設される複数の上攪拌刃１６及び複数の下攪拌刃１７が設けられる。前記上臼５と下臼１５とで、臼体を構成し、両者は前記駆動モーター１２の出力軸１３に同心円状に取り付けられている。
【００１６】
前記下臼１５の材質は上臼５と同様に例えばステンレス製で、この下臼１５の表面の擂り潰し面が中心から外方へ向けて低くなるように構成され、その上面に擂り潰し面となる刻み目が放電加工されており、この刻み目加工パターンは図３に示すように、上臼５と同様であり、この刻み目のパターンは主溝１５Ａと副溝１５Ｂで構成され、例えば中心から円周上放射方向に例えば６本の主溝１５Ａが形成されて６分割され、この各分割された領域には種々の異なる方向に多数本の副溝１５Ｂが加工されている。
【００１７】
また、上臼５と下臼１５両者間の取り付け配置は同心でセットされ、互いの隙間は中心から外側に向かうに従って狭くなっている。下臼１５が回転して上臼５との隙間に粉砕物が供給され擂り潰しが行われることとなる。即ち、前記下臼１５の表面の擂り潰し面が中心から外方へ向けて低くなるように構成すると共に前記上臼５と下臼１５との間隔を外方に行くに従って狭くしたので、確実に上臼５と下臼１５との間に生ごみを導くことができ、更に徐々に外方へと導くことができると共に外方に行くに従って徐々に微細化することができる。この微細化された後、前記受け皿１０上に落下して前記排水口７を介して排出されることとなる。
【００１８】
また、前記駆動モーター１２の出力軸１３に取り付けられた上攪拌刃１６、下攪拌刃１７及び下臼１５品等はバランス調整を実施し、駆動モーター１２の動作時、共振による振動発生の防止が施されている。
【００１９】
なお、受け皿１０と前記出力軸１３の隙間は、水漏れ防止及び異物侵入防止にためのシール加工が施工されている。
【００２０】
また、前記ベース１１の外側面には動作スイッチ２１とダイヤル式のタイマ２２が取り付けられている。動作スイッチ２１はオンスイッチ２１Ａ及びオフスイッチ２１Ｂとを備え、前記タイマ２２で処理時間が設定されてオンスイッチ２１Ａが押圧されると、商用電源に接続された電源コード２３を介して駆動モーター１２及び水道水供給電磁弁８が運転可能となる。２４は前記生ごみ処理器本体１の上面開口を開閉するための蓋であり、生ごみ処理器本体１に例えばヒンジ等で固定してあり、生ごみ処理器の稼動時に水や生ごみが外部に飛散するのを防止している。
【００２１】
以上の構成により、以下本生ごみ処理器の動作について説明する。まず、蓋２４を開けて生ごみ処理器本体１に処理物である野菜、残飯類などの生ごみを投入する。投入量は生ごみ処理器本体１内容積の概ね６割程度であるが、予め経験によって最適投入量を求めておく。また、投入量によって予め規定してある処理時間をタイマー２２にて設定する。
【００２２】
そして、蓋２４を閉止した後、オンスイッチ２１Ａを押圧すると、生ごみ処理が開始される。即ち、駆動モーター１２が運転されると同時に水道水供給電磁弁２０が開き、水道水が生ごみ処理器本体１内に供給される。
【００２３】
従って、水道水が加えられて攪拌されながら、生ごみは上攪拌刃１６により裁断され微細な粉砕物に粉砕加工される。その水と混合された粉砕物は遠心力により生ごみ処理器本体１の側壁や漏斗状隔壁２に当りながら、漏斗状隔壁２にに沿って下方に落下しつつ、下攪拌刃１７にて更に粉砕された後、開口４を介して上臼５と下臼１５との間に導かれ、下臼１５が駆動モーター１２により回転されて、擂り潰されることとなる。
【００２４】
即ち、固定されて不動の上臼５と回転する下臼１５との間に導かれた粉砕物は、その両臼間で擂り潰されて更に微細化されてマッシュ状の流動体となり、水と共に受け皿１０上に落下して、排水口７を経て外部に排出され、下水に排出可能となる。やがて、設定時間が経過すると駆動モーター１２の運転が停止し、同時に水道水供給電磁弁２０が閉止して水道水の供給が停止する。
【００２５】
この場合、設定時間が経過したとき、直ちに駆動モーター１２を停止させるが、遅延タイマー（図示せず）により水道水供給電磁弁２０を所定時間経過後に閉止してもよい。これにより、生ごみ処理器本体１内に残された生ごみ（粉砕されたもの）を、排水口７を介して外部に排出することができる。
【００２６】
また、投入量との関係で、オフスイッチ２１Ｂを押圧することにより、途中で運転を停止することができる。
【００２７】
以上のような動作により家庭などにて廃棄する生ごみは、粉砕され、更に擂り潰して微細化した水溶物として下水等に排出できることとなる。しかも、構造上流動を妨げる網目やフィルタ等が必要ないため、途中で目詰まりしにくく、保守作業を低減した生ごみ処理器を提供することができる。
【００２８】
また、前記上攪拌刃１６及び下攪拌刃１７を駆動させる駆動源と前記下臼１５を回転させる駆動源とを同一の駆動駆動モーター１２としたので、構造が簡単となると共に製造コストの低減を図ることができる。
【００２９】
なお、前述の如く、処理する生ごみの種類にかかわらず駆動モーター１２の回転数が一定であるが、例えば一分間あたりの回転数を選択できるような設定装置を設けてもよい。
【００３０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００３１】
【図１】生ごみ処理器の斜視図である。
【図２】生ごみ処理器の縦断面図である。
【図３】下臼の斜視図である。
【符号の説明】
【００３２】
１          生ごみ処理器本体
２          漏斗状隔壁
５          上臼
６          供給口
７          排水口
８          水道水供給電磁弁
１０        受け皿
１２        駆動モーター
１３        出力軸
１５        下臼
１６        上攪拌刃
１７        下攪拌刃
２１        動作スイッチ
【図１】
2005177659.tif 000003
【図２】
2005177659.tif 000004
【図３】
2005177659.tif 000005